(57)【特許請求の範囲】
【請求項１】
内部が中空で、先端部に注入口が設けられた内管ロッドと、中空の内部に前記内管ロッドが挿入可能で、先端が開口した外管ロッドを用いて、地盤内に薬液を注入する薬液注入工法であって、
前記内管ロッドと前記外管ロッドからなる二重注入管を地盤内に挿入する注入管挿入工程と、
地盤内の所定の位置において、前記内管ロッドの先端と前記外管ロッドの先端を略同一位置にした状態で、前記内管ロッドの内側に形成された内管通路と連通し該内管ロッドの先端部に複数設けられた内管注入口から瞬結性薬液Ａを注入するとともに、前記内管ロッドの外周面と前記外管ロッドの内周面とから形成された外管通路と連通し前記外管ロッドの先端部に設けられた開口部から瞬結性薬液Ｂを注入して、パッカーを形成するパッカー形成工程と、
該パッカー形成工程により瞬結性薬液が注入された位置において、前記内管ロッドを前記外管ロッドの軸方向の下方に移動して前記パッカーを貫通させて、前記内管ロッドの先端部を前記外管ロッドの外部に送り出す内管ロッド送出工程と、
該内管ロッド送出工程により前記パッカーを貫通させて送り出された前記内管ロッドの先端部に複数設けられた前記内管注入口から緩結性薬液を注入する緩結性薬液注入工程と、
を有する薬液注入工法
【請求項２】
前記内管ロッドの先端部に複数設けられた前記内管注入口は、前記内管ロッドが送り出される方向から見て、それぞれ所定の間隔を隔てて設けられていることを特徴とする請求項１記載の薬液注入工法。
【請求項３】
前記内管ロッドの先端に複数設けられた前記内管注入口は、該内管ロッドの先端に配置されている前記内管注入口の口径のほうが大きいことを特徴とする請求項１または２に記載の薬液注入工法。
【請求項４】
前記緩結性薬液注入工程が行われた後に、前記内管ロッドを前記外管ロッドの内部に引き込み、前記内管ロッドおよび前記外管ロッドを地上方向に引き上げる注入管引上工程と、
前記注入管引上工程により所定の長さ引き上げられた後に、再度、前記パッカー形成工程、前記内管ロッド送出工程、前記緩結性薬液注入工程を行うことを特徴とする請求項１〜３のいずれかに記載の薬液注入工法。
【請求項５】
前記パッカー形成工程が行われた後に、
前記内管ロッド送出工程により、瞬結性薬液が注入された位置において、前記内管ロッドの先端部を前記外管ロッドの外部に送り出しながら、
前記緩結性薬液注入工程により、前記内管ロッド送出工程により送り出された前記内管ロッドの先端部に複数設けられた前記内管注入口から緩結性薬液を注入することを特徴とする請求項１記載の薬液注入工法。
【発明の詳細な説明】
【技術分野】
【０００１】
本発明は、地中に薬液を浸透注入する薬液注入工法に関する。詳しくは、内部が中空で、先端部に注入口が設けられた内管ロッドと、中空の内部に内管ロッドが挿入可能で、先端が開口した外管ロッドを用いて、地盤内に薬液を注入する薬液注入工法に関する。
【背景技術】
【０００２】
従来、地中に薬液を浸透注入する薬液注入工法として、たとえば、薬液注入孔が形成されている外管と、外管に取り外し自在に内挿されている削孔用内管と、を有する二重管を、地盤に貫入させ、外管から削孔用内管を取り外し、外管に薬液注入用内管を挿入して、薬液注入用内管を移動させながら、薬液注入用内管から吐出された薬液を外管の薬液注入孔から対象地盤に注入する薬液注入工法が知られている（たとえば、特許文献１）。
【０００３】
しかしながら、特許文献１に記載された技術では、薬液注入用内管を移動させながら、薬液注入用内管から吐出された薬液を外管に設けられた薬液注入孔一箇所から対象地盤に注入するようにしているため、注入された薬液の地盤への受入面積が小さく、浸透効率が低く、薬液を注入するために多くの時間を要していた。
【０００４】
この問題点を解消させるため、外管と内管を同心状に配列した注入部材を備え、外管の外周面には、外管の内側と内管の外側とから形成される外管流路と連通した第一の環状スリット吐出口と、内管の内側に形成される内管流路と連通した複数個の第二の環状スリット吐出口とを、長手方向の任意の間隔で配設した注入管を用いたグラウト注入方法であって、注入管を用いて無水状態で改良対象地盤内の所定深度まで穿孔した後、複数個の第二の環状スリット吐出口から同時にグラウト剤を注入管の外周の全方位へ面状状態で吐出するグラウト注入方法が提案されている(たとえば、特許文献２)。この技術によれば、注入管に設けられた第一の環状スリット吐出口の外周の全方位にエアーカーテンが形成されているので、注入管に設けられた複数個の第二の環状スリット吐出口から吐出された薬液が注入管に設けられた第一の環状スリット吐出口の外周方向から上方に吐出しにくくなり、薬液の地上への漏出を効果的に防止することができるとともに、改良対象地盤への流体の受入面積が増加するため、改良対象地盤内への浸透速度が増大して、流体を改良対象地盤内に短時間で効率的に注入させることができるというものであった。
【先行技術文献】
【特許文献】
【０００５】
【特許文献１】特開２００４−  ８４３６３号公報
【特許文献２】特開２００８−１６９５４６号公報
【発明の概要】
【発明が解決しようとする課題】
【０００６】
特許文献２に記載された技術は、複数個の第二の環状スリット吐出口から同時にグラウト剤を注入管の外周の全方位へ面状状態で吐出することにより、特許文献１に記載された技術が有する問題点を解決することができるものであるが、特許文献２に記載された技術は、注入管に設けられた第一の環状スリット吐出口の外周の全方位にエアーカーテンを形成して薬液が地上へ漏出することを防止しながら、注入管に設けられた複数個の第二の環状スリット吐出口から同時にグラウト剤を注入管の外周の全方位へ面状状態で吐出しているため、エアーカーテンの位置を移動させることなく、第二の環状スリット吐出口からのグラウト剤の吐出位置を変えることができなかった。
【０００７】
本発明は上記問題点に鑑みてなされたもので、パッカーの位置を移動させることなく、注入口から注入される緩結性薬液の注入位置を自由に変えることができるとともに、内管ロッドの内管注入口から注入される緩結性薬液が地上へ漏出することを効果的に防止することができる薬液注入工法を提供することを目的とする。
【課題を解決するための手段】
【０００８】
上記課題を解決し上記目的を達成するために、本発明のうち第１の態様に係るものは、  内部が中空で、先端部に注入口が設けられた内管ロッドと、中空の内部に内管ロッドが挿入可能で、先端が開口した外管ロッドを用いて、地盤内に薬液を注入する薬液注入工法であって、内管ロッドと外管ロッドからなる二重注入管を地盤内に挿入する注入管挿入工程と、地盤内の所定の位置において、内管ロッドの先端と外管ロッドの先端を略同一位置にした状態で、内管ロッドの内側に形成された内管通路と連通し内管ロッドの先端部に複数設けられた内管注入口から瞬結性薬液Ａを注入するとともに、内管ロッドの外周面と外管ロッドの内周面とから形成された外管通路と連通し外管ロッドの先端部に設けられた開口部から瞬結性薬液Ｂを注入して、パッカーを形成するパッカー形成工程と、パッカー形成工程により瞬結性薬液が注入された位置において、内管ロッドを外管ロッドの軸方向の下方に移動してパッカーを貫通させて、内管ロッドの先端部を外管ロッドの外部に送り出す内管ロッド送出工程と、内管ロッド送出工程によりパッカーを貫通させて送り出された内管ロッドの先端部に複数設けられた内管注入口から緩結性薬液を注入する緩結性薬液注入工程とを有するものである。
【０００９】
本発明によれば、パッカー形成工程により瞬結性薬液が注入されパッカーが形成された位置で、内管ロッドを外管ロッドの軸方向の下方に移動してパッカーを貫通させて、内管ロッドの先端部を外管ロッドの外部に送り出して、内管ロッドの先端部に複数設けられた内管注入口から緩結性薬液が注入されるので、内管注入口から同時に緩結性薬液が注入される地盤の受入面積が増加し、地盤内への浸透速度を増大させることができるともに、瞬結性薬液により形成されたパッカーの位置を変えずに、内管ロッドの先端部を外管ロッドの外部に送り出すことにより、内管注入口から注入される緩結性薬液の注入位置を変えることができる。さらに、このパッカーにより、内管ロッドの内管注入口から注入される緩結性薬液が地上へ漏出することを効果的に防止することができる。
【００１０】
本発明のうち第２の態様に係るものは、第１の態様に係る薬液注入工法であって、内管ロッドの先端部に複数設けられた内管注入口は、内管ロッドが送り出される方向から見て、所定の間隔を隔ててそれぞれ設けられていることを特徴とするものである。
【００１１】
本発明によれば、内管ロッドの先端部の内管注入口が所定の間隔を隔てて設けられているので、内管ロッドから同時に注入される緩結性薬液を均等に地盤内に注入することができる。これにより、地盤内への浸透を効率よくすることができる。
【００１２】
本発明のうち第３の態様に係るものは、第１または第２の態様に係る薬液注入工法であって、内管ロッドの先端部に複数設けられた内管注入口は、内管ロッドの先端に配置されている内管注入口の口径のほうが大きいことを特徴とするものである。
【００１３】
複数設けられた注入口が同一の注入口であれば、先端にいくほど注入圧力が低くなるため内管ロッドの先端に設けられた注入口のほうが注入される薬液の量が少なくなるが、本発明によれば、内管ロッドの先端に配置されている内管注入口の口径のほうが大きくしているので、内管ロッドの先端のほうに設けられた内管注入口からの薬液の注入量を増やすことができる。これにより、たとえば、内管ロッドの先端部に複数設けられた内管注入口のすべての注入量を同じにすることができる。
【００１４】
本発明のうち第４の態様に係るものは、第１〜第３のいずれかの態様に係る薬液注入工法であって、緩結性薬液注入工程が行われた後に、内管ロッドを外管ロッドの内部に引き込み、内管ロッドおよび外管ロッドを地上方向に引き上げる注入管引上工程と、注入管引上工程により所定の長さ引き上げられた後に、再度、パッカー形成工程、内管ロッド送出工程、緩結性薬液注入工程を行うことを特徴とするものである。
【００１５】
本発明によれば、緩結性薬液注入工程が行われた後に、再度緩結性薬液注入工程が行われるので、内管ロッドと外管ロッドが挿入された挿入穴全体に薬液を注入することができる。
【００１６】
本発明のうち第５の態様に係るものは、第１の態様に係る薬液注入工法であって、パッカー形成工程が行われた後に、内管ロッド送出工程により、瞬結性薬液が注入された位置において、内管ロッドの先端部を外管ロッドの外部に送り出しながら、緩結性薬液注入工程により、内管ロッド送出工程により送り出された内管ロッドの先端部に複数設けられた内管注入口から緩結性薬液を注入することを特徴とするものである。
【００１７】
本発明によれば、瞬結性薬液が注入された位置において、内管ロッドの先端部を外管ロッドの外部に送り出しながら、内管ロッド送出工程により送り出された内管ロッドの先端部に複数設けられた内管注入口から緩結性薬液が注入されるので、連続的に大量の緩結性薬液を地盤内に注入することができる。
【発明の効果】
【００１８】
以上のように本発明の薬液注入工法によれば、パッカーの位置を移動させることなく、注入口から注入される緩結性薬液の注入位置を自由に変えることができるとともに、このパッカーにより、内管ロッドの内管注入口から注入される緩結性薬液が地上へ漏出することを効果的に防止することができる。
【図面の簡単な説明】
【００１９】
【図１】本発明の一実施形態における薬液注入工法に用いられる薬液注入システムを示す図である。
【図２】（ａ）同薬液注入工法に用いられる内管ロッドの側面図である。            （ｂ）Ａ−Ａ断面を示す図である。            （ｃ）Ｂ−Ｂ断面を示す図である。
【図３】（ａ）同薬液注入工法に用いられる外管ロッドの側面図である。            （ｂ）Ｃ−Ｃ断面を示す図である。            （ｃ）本発明の一実施形態における薬液注入工法に用いられる外管ロッドの下面図である。
【図４】（ａ）  同薬液注入工法に用いられる外管ロッドの内部に内管ロッドが挿入された状態の側面図である。          （ｂ）  Ｄ−Ｄ断面を示す図である。          （ｃ）  Ｅ−Ｅ断面を示す図である。
【図５】本発明の一実施形態における薬液注入工法の施工手順を示すフローチャートである。
【図６】（ａ）  外管ロッドにより掘削している状況を示す図である。          （ｂ）  内管ロッドを外管ロッド内に挿入した状況を示す図である。            （ｃ）  内管ロッドの先端付近および外管ロッドの先端付近にパッカーが形成された状況を示す図である。          （ｄ）  内管ロッドの先端が外管ロッドの外部に送り出された状態を示す図である。          （ｅ）  内管ロッドの内管注入口から緩結性薬液が地盤内に注入される状況を示す図である。
【図７】本発明の第２実施形態における薬液注入工法の施工手順を示すフローチャートである。
【図８】（ａ）本発明の第３実施形態における薬液注入工法に用いられる内管ロッドの側面図である。          （ｂ）同内管ロッドの下面図を示す図である。
【図９】本発明の第３実施形態における薬液注入工法の施工手順を示すフローチャートである。
【図１０】内管ロッドの注入口から緩結性薬液を注入しながら、所定の深さまで内管ロッドを送り出している状態を示す図である。
【発明を実施するための形態】
【００２０】
以下、本発明の薬液注入工法の一実施形態について図面を参照にしながら説明する。図１は、本発明の一実施形態における薬液注入工法に用いられる薬液注入システムである。
【００２１】
図１に示すように、作業機１は、内管ロッド２と外管ロッド３からなる二重注入管４を支持するとともに、内管ロッド２および外管ロッド３をそれぞれ上下動、回転および揺動させる機械である。具体的には、作業機１は、外管ロッド３を外管ロッド把持部５により把持（保持）し、内管ロッド２を内管ロッド把持部６により把持（保持）する。これにより、内管ロッド２、外管ロッド３は、個別に上下動のみならず回転、揺動することができる。なお、本実施形態では、内管ロッド把持部６を設けて説明したが、これに限らず、内管ロッド把持部６を設けず、後述する外管スイベル８ｂの内周で内管ロッド２を把持（保持）するようにしてもよい。また、図１に示す内管ロッド把持部６は後方にて、作業機１などにより支持されている。
【００２２】
内管ロッド２は、後述するように、内部が中空で先端部に内管注入口７が設けられている（図２参照）。外管ロッド３は、後述するように、内部が中空で、先端が開口している（図３参照）。これにより、外管ロッド３の内部に内管ロッド２を挿入することが可能となる。なお、本実施形態では、内管ロッド２の先端部に内管注入口７を設けたが、これに限らず、内管ロッド２の先端部ではない内管ロッド２の側面部に内管注入口７を設けてもよい。ここで、内管ロッド２の先端部とは、内管ロッド２の先端部分のことをいい、内管ロッド２の先端および内管ロッド２の先端付近の側面を含む意味である。
【００２３】
内管ロッド２および外管ロッド３の後端部には、それぞれスイベル８（内管スイベル８ａ、外管スイベル８ｂ）が取り付けられている。なお、外管ロッド３で地盤を掘削する際には、外管ロッド３の内部に内管ロッド２を挿入しないで、外管ロッド３の上部に掘削用の掘削スイベルが取り付けて地盤を掘削するが、ここでは図を省略する。
【００２４】
スイベル８（内管スイベル８ａ、外管スイベル８ｂ）は、瞬結性薬液の供給源（図示略）、緩結性薬液の供給源（図示略）、水の供給源（図示略）などからそれぞれ供給される瞬結性薬液、緩結性薬液、水の各供給管などと連結されるとともに、瞬結性薬液、緩結性薬液、水などを二重注入管４内に設けられた内管通路９、および外管通路１０に供給するものである。このように、瞬結性薬液の供給源（図示略）、緩結性薬液の供給源（図示略）、水の供給源（図示略）からそれぞれ供給される瞬結性薬液（瞬結性薬液Ａ、瞬結性薬液Ｂ）、緩結性薬液、水は、各供給源（図示略）→スイベル８→各通路を経て、内管ロッド２の先端部の内管注入口７、内管ロッド２と外管ロッド３により形成された開口部１１から地盤内に注入される。なお、スイベル８に連結されている供給管の数は、それぞれ内管ロッド２の先端部の内管注入口７、内管ロッド２と外管ロッド３により形成された開口部１１から注入される液体の数に対応して設けられている。また、掘削スイベル（図示略）は、水の供給源（図示略）から供給される水の供給管と連結されるとともに、水を外管ロッド３内部に供給するものである。ここで、瞬結性薬液Ａ、瞬結性薬液Ｂは、後述するように、個々の薬液としては液体の状態であるが、瞬結性薬液Ａと瞬結性薬液Ｂとが混合することにより、薬液が秒単位で固化する性質を有する。
【００２５】
このようにして、二重注入管４内を介して、内管ロッド２の先端部の内管注入口７、内管ロッド２と外管ロッド３により形成された開口部１１から瞬結性薬液（瞬結性薬液Ａ、瞬結性薬液Ｂ）、緩結性薬液、水などが地盤内に注入される。
【００２６】
次に、本発明の薬液注入工法に用いられる内管ロッドについて説明する。図２（ａ）は、本発明の一実施形態における薬液注入工法に用いられる内管ロッドの側面図であり、図２（ｂ）は、図２（ａ）のＡ−Ａ断面を示す図であり、図２（ｃ）は、図２（ａ）のＢ−Ｂ断面を示す図である。
【００２７】
図２に示すように、内管ロッド２は、内部が中空（外径約３０ｍｍ）で断面が円形（ドーナツ形状）であり、先端部に内管注入口７（第一内管注入口７ａ〜第四内管注入口７ｄ）が設けられている。
【００２８】
内管注入口７は、内管ロッド２の先端部に長手方向（内管ロッド２が送り出される方向）から見て、それぞれ所定の間隔を隔てて４つ設けられ（図２（ａ）参照）、一番上部に対角線上に設けられた２個の注入口からなる第一内管注入口７ａ（図２（ｂ）参照）、その下部に第一内管注入口７ａの位置から９０度回転させた位置に設けられた２個の注入口ならなる第二内管注入口７ｂ（図２（ｃ）参照）、その下部に第一内管注入口７ａと同じ位置に設けられた２個の注入口ならなる第三内管注入口７ｃ（図２（ｂ）参照）、その下部に第二内管注入口７ｂと同じ位置に設けられた２個の注入口ならなる第四内管注入口７ｄ（図２（ｃ）参照）がそれぞれ設けられている。なお、本実施形態では、内管注入口７を４個設けたが、これに限らず、内管注入口７を６個設けてもよく８個設けてもよく、内管注入口７を複数個設けるものであればよい。また、本実施形態の内管ロッド２は、先端がコーン状に尖がっている。これにより、内管ロッド２が地盤内に挿入されやすくなる。
【００２９】
内管注入口７は、内管ロッド２の先端に配置されている内管注入口７のほうが口径を大きくしている。すなわち、本実施形態では、第一内管注入口７ａ（口径小）→第二内管注入口７ｂ→第三内管注入口７ｃ→第四内管注入口７ｄ（口径大）の順で注入口の口径を大きくしている。これにより、一般的には内管ロッド２の先端にいくほど注入圧力が低くなるので、注入口の大きさが同じであれば先端にいくほど注入口から注入される薬液の量が少なくなるが、本実施形態では、内管ロッド２の先端に配置されている内管注入口７の口径のほうが大きいので、内管ロッド２の先端のほうに設けられた内管注入口７から注入される薬液の量を増やすことができる。これにより、たとえば、内管ロッド２の先端に複数設けられた内管注入口７のすべての注入量を同じにすることもできる。
【００３０】
次に、本発明の薬液注入工法に用いられる外管ロッド３について説明する。図３（ａ）は、本発明の一実施形態における薬液注入工法に用いられる外管ロッドの側面図であり、図３（ｂ）は、図３（ａ）のＣ−Ｃ断面を示す図であり、図３（ｃ）は、本発明の一実施形態における薬液注入工法に用いられる外管ロッドの下面図である。
【００３１】
図３に示すように、外管ロッド３は、上述したように、内部が中空（外径約５０ｍｍ）で断面が円形（ドーナツ形状（図３（ｂ）参照））であり、先端が開口している（図３（ｃ）参照）。そして、外管ロッド３の先端には、掘削刃１２が設けられ、外管ロッド３ともに掘削刃１３が回転することにより地中を掘削することができる。
【００３２】
次に、本発明の薬液注入工法に用いられる外管ロッド３の内部に内管ロッドが挿入された状態について説明する。ここで、図４（ａ）は、薬液注入工法に用いられる外管ロッドの内部に内管ロッドが挿入された状態の側面図であり、図４（ｂ）は、図４（ａ）のＤ-Ｄ断面を示す図であり、図４（ｃ）は、図４（ａ）のＥ−Ｅ断面を示す図である。
【００３３】
図４に示すように、外管ロッド３の先端の少し上部の位置に内管ロッド２に装着された内管誘導逆止弁１３が設けられている（図４（ａ）および図４（ｂ）参照）。この内管誘導逆止弁１３は、外管ロッド３内に挿入された内管ロッド２が外管ロッド３の中央付近になるように誘導するとともに、流体（瞬結性薬液、水など）が外管ロッド３の先端方向から逆方向（Ｇ方向（図４（ａ）参照））へ流れようとするのを止めるための弁である。具体的には、内管誘導逆止弁１３は、ゴムを材料として生成され、内径が内管ロッド２の外径より少さく、外径が内管ロッド２に装着した状態で外管ロッド３の内径と略同径の大きさで形成されている。そして、外径は上面部が少し狭くなったテーパ状で形成されている。このように、内管誘導逆止弁１３の外周面がテーパ状になっているので、外管通路１０を流れる液体は先端方向に流すことができるが、その逆は流れにくくなる。なお、本実施形態では、内管誘導逆止弁１３により、内管ロッド２が外管ロッド３の中央付近に誘導するとしたが、これに限るものではなく、外管ロッド３の中空部（内部）の形状によって内管ロッド２を誘導する位置も異なる場合もある。このように、内管誘導逆止弁１３を設けているため、内管ロッド２が外管ロッド３に挿入された状態では、その位置では内管ロッド２の中心と外管ロッド３の中心がほぼ同一となる（図４（ｂ）参照）。
【００３４】
図４（ａ）に示すように、内管誘導逆止弁１３の外管ロッド３の先端側の位置から外管ロッド３の先端までの距離（ＧＳ）より内管ロッド２の第一内管注入口７ａから内管ロッド２の先端までの距離（ＴＳ）（第一内管注入口７ａの外周の一番遠いところから内管ロッド２の先端までの距離）のほうを短くしている。これにより、内管ロッド２の先端と外管ロッド３の先端を略同一にした状態で、外管ロッド３の内周面と内管ロッド２の外周面により形成される外管通路１０に瞬結性薬液Ｂを流すとともに、内管ロッド２内部の内管通路９に瞬結性薬液Ａを流すことにより、外管通路１０の瞬結性薬液Ｂと内管ロッド２の内管注入口７から注入された瞬結性薬液Ａが内管誘導逆止弁１３（外管ロッド３先端側の所）から外管ロッド３の先端までの間で混合し、その混合した混合流体が外管通路１０の先端の開口部１１から外部に放出される。さらに、本実施形態では、第一内管注入口７ａ〜第四内管注入口７ｄをそれぞれ互い違いに交互に設けているので、外管通路１０の瞬結性薬液Ｂと内管ロッド２の内管注入口７から注入された瞬結性薬液Ａが内管誘導逆止弁１３（外管ロッド３先端側の所）から外管ロッド３の先端までの間でさらに混合しやすくなる。
【００３５】
次に、本発明の一実施形態における薬液注入工法による施工手順について図５および図６を用いて説明する。図５は、本発明の一実施形態における薬液注入工法の施工手順を示すフローチャートであり、図６（ａ）は、外管ロッドにより掘削している状況を示す図である。
【００３６】
まず、Ｓ１において、外管ロッド３をこれから掘削（薬液注入）しようとする位置に位置決めする。具体的には、外管ロッド３をクレーンで吊り下げ、外管ロッド３を作業機１の外管ロッド把持部５により把持させ、外管ロッド３をこれから掘削（薬液注入）するところに位置決めする。そして、外管ロッド３がこれから掘削する所定の位置に位置決めされると、Ｓ２に進む。なお、本実施形態では、外管ロッド３をクレーンで吊り下げて位置決めしたが、これに限らず、作業者により手動で外管ロッド３を作業機１の外管ロッド把持部５により把持させて位置決めしてもよい。
【００３７】
Ｓ２において、外管ロッド３を回転させながら地盤内を下方に掘削する。具体的には、水供給源（図示略）から掘削スイベル（図示略）を介し外管ロッド３の先端から水を放出させながら、作業機１の外管ロッド把持部５により外管ロッド３を回転し地盤内に移動させる。これにより、外管ロッド３の先端の掘削刃１２により地盤内が掘削される。
【００３８】
Ｓ３において、外管ロッド３により地盤中の所望の深度まで掘削できたかが判断され、まだ所望の深度まで掘削されていない場合は「ＮＯ」と判断され、Ｓ２により、さらに外管ロッド３により掘削が行なわれる。そして、Ｓ３により、外管ロッド３により所望の深度まで掘削したと判断された場合は「ＹＥＳ」と判断され、掘削が完了したとして、Ｓ４に進む（図６（ａ）参照）。ここで、図６（ａ）は、外管ロッド３により掘削している状況を示す図である。
【００３９】
Ｓ４により、外管ロッド３内に内管ロッド２を挿入する（注入管挿入工程）。具体的には、内管ロッド２をクレーンで吊り下げ、内管ロッド２を外管ロッド３内に挿入する（図６（ｂ）参照）。ここで、図６（ｂ）は、内管ロッド２を外管ロッド３内に挿入した状況を示す図である。なお、本実施形態では、内管ロッド２をクレーンで吊り下げて外管ロッド３内に挿入したが、これに限らず、作業者により手動で内管ロッド２を外管ロッド３内に挿入してもよい。このようにして、内管ロッド２と外管ロッド３からなる二重注入管４が地盤内に挿入される。ここで、注入管挿入工程は、本実施形態のように、外管ロッド３で掘削し、その後に内管ロッド２を外管ロッド３内に挿入する場合のほか、まず地盤をボーリング装置（別部材）で掘削し、その掘削された穴に外管ロッド３と内管ロッド２を挿入する場合も含まれる。このＳ１からＳ４の処理により掘削工程が構成される。また、本実施形態では、まず、あらかじめ薬液を注入しようとする位置まで外管ロッド３にて掘削し、その後に外管ロッド３を少し上部に引き上げて、その少し引き上げられた後に内管ロッド２を外管ロッド３内に挿入しているが、これに限らず、あらかじめ薬液を注入しようとする位置まで外管ロッド３にて掘削し、外管ロッド３を上部に引き上げずに内管ロッド２を外管ロッド３内に挿入してもよい。
【００４０】
Ｓ５において、地盤内の所定の位置において、内管ロッド２の先端部と外管ロッド３の先端部を略同一位置にした状態で、内管ロッド２の内側に形成された内管通路９を介し内管ロッド２に設けられた内管注入口７から瞬結性薬液Ａが注入されるとともに、内管ロッド２の外側と外管ロッド３の内側とから形成された外管通路１０を介し外管ロッド３の先端に設けられた開口部１１から瞬結性薬液Ｂが注入される（パッカー形成工程（図６（ｃ）参照））。なお、地盤内の所定の位置は、外管ロッド３により掘削された穴内の所定の位置であり、本実施形態では、外管ロッド３により掘削された穴の一番深い位置から少し引き上げた位置である。ここで、図６（ｃ）は、内管ロッド２の先端付近および外管ロッド３の先端付近にパッカーが形成された状況を示す図である。また、瞬結性薬液とは、秒単位で固化する薬液（ゲルタイムが秒単位）のことをいい、この瞬結性薬液Ａと瞬結性薬液Ｂを混合することにより、薬液が秒単位で固化される。そして、この固化された薬液により、内管ロッド２の先端および外管ロッド３の先端やその周辺部がシールされ、パッカーが完成する。このパッカーにより、後述する内管ロッド２の内管注入口７から注入される薬液が地上へ漏出することを効果的に防止することができる。そして、Ｓ６に進む。
【００４１】
Ｓ６により、外管ロッド３を動かさずに、内管ロッド２の先端部を外管ロッド３の外部に送り出される（内管ロッド送出工程）。具体的には、パッカー形成工程により瞬結性薬液が注入された位置において、内管ロッド２によりパッカーを貫通させて、所定の深さまで内管ロッド２が外管ロッド３の外部に送り出される（図６（ｄ）参照）。ここで、図６（ｄ）は、内管ロッドの先端が外管ロッドの外部に送り出された状態を示す図である。なお、内管ロッド２が送り出される所定の深さは、内管ロッド２の内管注入口７から薬液を注入しようとする任意の深さであり、特に内管ロッド２のすべての内管注入口７が外管ロッド３の外部に送り出された深さにする好適である。そして、Ｓ７に進む。なお、本実施形態では、Ｓ４において、あらかじめ薬液を注入しようとする位置まで外管ロッド３にて掘削し、その後に外管ロッド３を少し上部に引き上げて、その少し引き上げられた位置でパッカーが形成し、内管ロッド２を外管ロッド３の外部に送り出している。このように外管ロッド３を少し引き上げて、その位置で内管ロッド２を外管ロッド３の外部に送り出しているので、既に外管ロッド３により掘削され地盤が緩んでいるところに内管ロッド２が送り出され、内管ロッド２を送り出しやすい。
【００４２】
Ｓ７において、内管ロッド送出工程により所定の深さまで送り出された内管ロッド２の内管注入口７から緩結性薬液が地盤内に注入される（緩結性薬液注入工程（図６（ｅ）参照））。ここで、図６（ｅ）は、内管ロッドの内管注入口から緩結性薬液が地盤内に注入される状況を示す図である。この緩結性薬液は、固化されるまで数十分以上要するので、４つの内管注入口７から注入された緩結性薬液は放射線状に浸透されながら球状に広がっていく。本実施形態では、内管ロッド２に設けられた内管注入口７は、所定の間隔を隔ててそれぞれ設けられているので、内管注入口７から同時に注入される緩結性薬液を均等に地盤内に注入することができる。また、本実施形態では、内管ロッド２の先端に配置されている内管注入口７の口径のほうが大きいので、内管ロッド２の先端に設けられた内管注入口７でも多くの薬液を注入することができる。そして、各内管注入口７から放射線状に浸透注入し球状に広がった緩結性薬液は数十分後に固化し、地盤を強化することができる。そして、Ｓ８に進む。
【００４３】
Ｓ８において、薬液注入が完了したかが判断される。そして、薬液注入が完了していない場合はＳ８で「ＮＯ」と判断され、Ｓ９により、内管ロッド２を外管ロッド３の内部に引き込み、内管ロッド２および外管ロッド３が地上方向に引き上げられる（注入管引上工程）。そして、薬液注入を行おうとする位置まで引き上げた後に、さらにＳ５→Ｓ６→Ｓ７の処理が行われる。Ｓ８により、薬液注入が完了した場合はＳ８で「ＹＥＳ」と判断され、薬液注入工程が終了する。このようにすることにより、内管ロッド２と外管ロッド３が挿入された挿入穴全体に薬液を注入することができる。なお、本実施形態では、内管ロッド２を外管ロッド３の内部に引き込んで、内管ロッド２および外管ロッド３を地上方向に引き上げたが、これに限らず、内管ロッド２および外管ロッド３を地上方向に引き上げた後に、内管ロッド２を外管ロッド３の内部に引き込むようにしてもよい。
【００４４】
以上説明したように、本発明によれば、パッカー形成工程によりパッカーが形成された位置において、内管ロッド２の先端部を外管ロッド３の外部に送り出し、内管ロッド２の先端部に複数設けられた内管注入口７から緩結性薬液が注入されるので、内管ロッド２から同時に緩結性薬液が注入される地盤の受入面積が増加し、地盤内への浸透速度を増大させることができ、また、瞬結性薬液により形成されたパッカーの位置を変えずに内管ロッド２の先端部が外管ロッド３の外部に送り出されるので、内管注入口７から注入される緩結性薬液の注入位置を変えることができ、たとえば、内管注入口７付近に岩や粘土などがあり薬液が注入しづらい場所であっても、内管注入口の位置を移動させることにより、薬液を効果的に注入浸透させることができる。
【００４５】
次に、本発明の薬液注入工法の第２実施形態について図面を参照にしながら説明する。ここで、本発明の第２実施形態と第１実施形態の異なるところは、第１実施形態では、緩結性薬液注入工程の後に、次に薬液注入を行おうとする位置まで内管ロッド２と外管ロッド３を引き上げ、その位置で再度パッカーを形成し（Ｓ５）、内管ロッド２を外管ロッド３の外部に送り出して（Ｓ６）、内管ロッド２の内管注入口７から緩結性薬液を地盤内に注入させたが、第２実施形態では、緩結性薬液注入工程の後に、外管ロッド３をそのままにして内管ロッド２のみ地上方向に引き上げ、次に薬液注入を行おうとする位置まで引き上げられた後に、内管ロッド２の内管注入口７から緩結性薬液を地盤内に注入させるようにしたところである。図７は、本発明の第２実施形態における薬液注入工法の施工手順を示すフローチャートである。なお、第１実施形態と同一構成のものについては、同一符号を用い、同一の作用効果を有するものとし説明は省略する。本実施形態では、第１実施形態と異なるところを中心に説明する。
【００４６】
Ｓ７において、所定の深さまで送り出された内管ロッド２の内管注入口７から緩結性薬液が地盤内に注入される（緩結性薬液注入工程）。そして、Ｓ８２に進む。
【００４７】
Ｓ８２において、薬液注入が完了したかが判断される。そして、薬液注入が完了していない場合はＳ８２で「ＮＯ」と判断され、Ｓ９２により、内管ロッド２が地上方向に引き上げられる（内管ロッド引上工程）。そして、次に薬液注入を行おうとする位置まで内管ロッド２が引き上げられた後にＳ７（緩結性薬液注入工程）の処理が行われる。Ｓ８２により、薬液注入が完了した場合はＳ８２で「ＹＥＳ」と判断され、薬液注入工程が終了する。このように、薬液が注入された後に、内管ロッド２を外管ロッド３方向に引き上げ、複数の内管注入口７から緩結性薬液が注入されるので、再度パッカーを形成することなく広範囲に薬液を注入することができる。これにより、一回形成したパッカーを用いて広範囲に緩結性薬液が注入され、地盤内への浸透速度を増大させることができるとともに、作業効率も向上させることができる。なお、本実施形態の内管ロッド引上工程は、緩結性薬液注入工程に含まれ、緩結性薬液注入工程の一部を構成するものである。
【００４８】
次に、本発明の薬液注入工法の第３実施形態について図面を参照にしながら説明する。ここで、本発明の第３実施形態と第１実施形態の異なるところは、第１実施形態では、緩結性薬液注入工程の後に、次に薬液注入を行おうとする位置まで内管ロッド２と外管ロッド３を引き上げ、その位置で再度パッカーを形成し（Ｓ５）、内管ロッド２を外管ロッド３の外部に送り出して（Ｓ６）、内管ロッド２の内管注入口７から緩結性薬液を地盤内に注入させたが、第３実施形態では、パッカーが形成された後に、緩結性薬液を注入しながら内管ロッド２により所定の深さまで地盤を掘削し、所定の深さまで掘削された後は、薬液を注入しながら内管ロッド２を地上方向に引き上げるようにしたところである。ここで、図８（ａ）は、本発明の第３実施形態における薬液注入工法に用いられる内管ロッドの側面図であり、図８（ｂ）は、同内管ロッドの下面図を示す図である。
【００４９】
図８に示すように、本実施形態の薬液注入工程に用いられる内管ロッド２には、先端に先端内管注入口１４が設けられている（図８（ｂ）参照）。先端内管注入口１４は、内管ロッド２内の内管通路９と連通され、先端内管注入口１４からも内管注入口７と同様の液体が注入される（図８（ａ）参照）。また、第３実施形態では、内管ロッド２の先端部に先端掘削刃１００が設けられている。この先端掘削刃１００により、内管ロッド２により地盤を掘削しやすくしている（図８（ａ）参照）。なお、第一実施形態および第２実施形態では、先端内管注入口１４および先端掘削刃１００を設けない内管ロッド２を使用したが、これに限らず、第一実施形態および第２実施形態でも、第３実施形態同様、先端内管注入口１４および先端掘削刃１００、または先端内管注入口１４と先端掘削刃１００のいずれかを設けた内管ロッド２を用いてもよい。これにより、内管ロッド２を外管ロッド３の外部に送り出しやすくなる。
【００５０】
本発明の第３実施形態における薬液注入工法による施工手順について図９および図１０を用いて説明する。図９は、本発明の第３実施形態における薬液注入工法の施工手順を示すフローチャートであり、図１０は、内管ロッドの注入口から緩結性薬液を注入しながら、所定の深さまで内管ロッドを送り出している状態を示す図である。なお、第１実施形態と同一構成のものについては、同一符号を用い、同一の作用効果を有するものとし説明は省略する。本実施形態では、第１実施形態と異なるところを中心に説明する。
【００５１】
Ｓ４により、外管ロッド３内に内管ロッド２が挿入される（注入管挿入工程）。そして、Ｓ５３に進む。
【００５２】
Ｓ５３において、地盤内の所定の位置において、内管ロッド２の先端部と外管ロッド３の先端部を略同一位置にした状態で、内管ロッド２に設けられた内管注入口７および先端内管注入口１４から瞬結性薬液Ａが注入されるとともに、外管ロッド３の先端部に設けられた開口部１１から瞬結性薬液Ｂが注入される（パッカー形成工程）。そして、Ｓ６３に進む。
【００５３】
Ｓ６３により、外管ロッド３を動かさずに、内管ロッド２の先端内管注入口１４および内管注入口７から緩結性薬液を注入させながら、内管ロッド２の先端部を外管ロッド３の外部に送り出して、内管ロッド２により地盤が掘削される（内管ロッド送出工程、緩結性薬液注入工程）。具体的には、パッカー形成工程により瞬結性薬液が注入された位置において、内管ロッド２によりパッカーを貫通させて、内管ロッド２の先端内管注入口１４および内管注入口７から緩結性薬液を注入させながら、所定の深さまで内管ロッド２が送り出される（図１０参照）。このようにすることにより、内管ロッド２の先端内管注入口１４から注入される緩結性薬液より地盤が掘削されやすくなり、また、地盤内の広範囲に亘って薬液を注入することができる。なお、本実施形態では、内管ロッド２を回転せずに内管ロッド２で掘削させたが、これに限らず、内管ロッド２を回転させながら内管ロッド２を下降させ地盤を掘削してもよい。このように、内管ロッド２を回転させながら内管ロッド２により掘削するようにすれば、周りの地盤が少し緩み薬液が浸透しやすくなり、また内管ロッド２によりさらに地盤が掘削されやすくなる。そして、Ｓ７３に進む。また、第１実施形態および第２実施形態でも、内管ロッド２を回転せずに内管ロッド２を送り出したが、これに限らず、内管ロッド２を回転させながら内管ロッド２を送り出してもよい。このようにすることにより、周りの地盤が少し緩み薬液が浸透しやすくなり、また内管ロッド２が地盤内に送り出されやすくなる。
【００５４】
Ｓ７３により、内管ロッド２が所定の深さまで送り出されたかが判断される。そして、所定の深さまで送り出されていない場合はＮＯと判断され、内管ロッド２が所定の深さまで送り出されるまでＳ７３→Ｓ６３→Ｓ７３の処理が行われ、内管ロッド２が所定の深さまで送り出されると、Ｓ７３によりＹＥＳと判断され、Ｓ８３に進む。
【００５５】
Ｓ８３において、内管ロッド下降薬液注入工程により所定の深さまで内管ロッド２が送りされると、内管ロッド２が外管ロッド３の内部に引き込まれる方向に内管ロッド２が引き上げられる（内管ロッド引上工程、緩結性薬液注入工程）。具体的には、外管ロッド３を動かさずに、内管ロッド２の先端内管注入口１４および内管注入口７から緩結性薬液を注入させながら、内管ロッド２が引き上げられる。そして、Ｓ９３に進む。
【００５６】
Ｓ９３により、内管ロッド２の先端部が外管ロッド３の内部まで引き上げられたかが判断される。そして、外管ロッド３の内部まで引き上げられていない場合はＮＯと判断され、内管ロッド２が所定の深さまで送り出されるまでＳ９３→Ｓ８３→Ｓ９３の処理が行われ、内管ロッド２が外管ロッド３の内部まで引き上げられると、Ｓ９３によりＹＥＳと判断され、薬液注入処理が終了する。
【００５７】
このように、内管ロッド下降薬液注入工程により、内管ロッド２を下降させながら各注入口（内管注入口７および４つの内管注入口７）から緩結性薬液を注入させるともに、内管ロッド２を上昇させながら各注入口（内管注入口７および４つの内管注入口７）から緩結性薬液を注入させるので、大量の緩結性薬液を地盤内に注入することができる。これにより、各注入口から大量に地盤内に注入された緩結性薬液が数十分後に固化し、地盤内を強化することができる。
【００５８】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される
【００５９】
次に、本発明の変形例について説明する。
【００６０】
（１）  本実施形態（第１実施形態〜第３実施形態）では、外管ロッド３および内管ロッド２を振動させずに地盤内に下降させたが、外管ロッド把持部５の上部に外管ロッド３を振動させる外管ロッド振動装置（図示略）を設け、また内管ロッド把持部６の上部に内管ロッド２を振動させる内管ロッド振動装置（図示略）を設けて、外管ロッド３および内管ロッド２をそれぞれ個別に振動させながら地盤内に下降させるようにしてもよい。このようにすることにより、たとえば、Ｓ２の処理では、外管ロッド３を振動させながら回転させるので、外管ロッド３により掘削されやすくなる。また、Ｓ６の処理においても、内管ロッド２を振動させながら外管ロッド３の外部に送り出されるので、周りの地盤が少し緩み薬液が浸透しやすくなり、また内管ロッド２が地盤内に送り出されやすくなる。さらに、Ｓ６３の処理においても、内管ロッド２を振動させながら掘削されるので、周りの地盤が少し緩み薬液が浸透しやすくなり、内管ロッド２により地盤内を掘削されやすくなる。また、この外管ロッド振動装置（図示略）と内管ロッド振動装置（図示略）は、必ずしも両方設ける必要はなく、外管ロッド振動装置（図示略）のみ、または内管ロッド振動装置（図示略）のみ設けるようにしてもよいし、外管ロッド３と内管ロッド２を一つの振動装置で振動させるロッド振動装置（図示略）を設けるようにしてもよい。
【００６１】
（２）  本実施形態（第１実施形態〜第３実施形態）では、内管通路９に流れる液体、外管流路１０に流れる液体の圧力を検出していないが、たとえば、液体（瞬結性薬液、緩結性薬液、水など）の供給ポンプのポンプ圧をポンプ圧検出手段により検出するようにしてもよい。このようにすることにより、ポンプ圧検出手段により検出されたポンプ圧が高い場合に、緩結性薬液を注入している内管ロッド２を上下に移動させて、内管注入口７の位置をずらすことができる。これにより、たとえば、内管注入口７の周辺が粘土層などの緩結性薬液が注入しにくい場所であっても、内管ロッド２を上下に移動させることにより、緩結性薬液が注入しやすい場所に内管注入口７を移動させることができる。
【００６２】
（３）  本実施形態（第１実施形態〜第３実施形態）では、中空円柱形状の外管ロッド３を用いたが、外管ロッド３を中空の円弧形状とし、内管ロッド２を外管ロッド３の曲がりに追従して変形可能な可撓性部材から構成させてもよい。このようにすることにより、薬液が注入されにくい場所でも、円弧形状の外管ロッド３の形を利用して薬液を注入することができる。
【００６３】
（４）  本実施形態では、地盤内鉛直方向に外管ロッド３および内管ロッド２を挿入させる態様について説明したが、これに限らず、水平方向や斜め方向に外管ロッド３および内管ロッド２を挿入するようにしてもよい。
【符号の説明】
【００６４】
１  作業機
２  内管ロッド
３  外管ロッド
４  二重注入管
５  外管ロッド把持部
６  内管ロッド把持部
７  内管注入口
７ａ  第一内管注入口
７ｂ  第二内管注入口
７ｃ  第三内管注入口
７ｄ  第四内管注入口
８  スイベル
８ａ  内管スイベル
８ｂ  外管スイベル
９  内管通路
１０  外管通路
１１  開口部
１２  掘削刃
１３  内管誘導逆止弁
１４  先端内管注入口
【図１】
0005755298.tif 000002
【図２】
0005755298.tif 000003
【図３】
0005755298.tif 000004
【図４】
0005755298.tif 000005
【図５】
0005755298.tif 000006
【図６】
0005755298.tif 000007
【図７】
0005755298.tif 000008
【図８】
0005755298.tif 000009
【図９】
0005755298.tif 000010
【図１０】
0005755298.tif 000011